(57)【要約】【課題】  コストが安く、リサイクルが容易にでき、輸送中も安定して花き類を保持することができる鮮度保持容器を提供する。【解決手段】  鮮度保持容器１は、段ボールで形成された容器本体１０と、その容器本体１０に固定された袋部２０とを備えている。容器本体１０は、切り花などの花きを収容する収容口を兼ねる注水口１１を有する蓋部１２と、その蓋部１２の両端に形成された一対の支持脚部１３，１３とを備えており、その支持脚部にはその中間で一部重なり合う先端部に形成された係合部において連結される連結補強部１３ａを備えている。切り花４１の切茎端部を袋部２０内の水部分４２に挿入する。切り花４１の茎部分が蓋部１２の注水口１１部分の長舌片１８，１８と短舌片１９，１９とにより保持され、出荷箱４０内において立てた状態で保持できる。【選択図】  図９
0003126878.tif 000002
【実用新案登録請求の範囲】
【請求項１】
花き類を収容して輸送可能な前記花き類の鮮度を保持する鮮度保持容器であって、
前記花き類の茎を収容する収容口を兼ねる注水口部分を有する蓋部と、その蓋部の両端部から下方に延びて当該容器を据え置き可能とする両側の支持脚部とが、１枚の厚紙から門形状に曲げられて形成され、それら支持脚部が対向する方向と直角な方向に開放空間を有する容器本体と、
前記蓋部の注水口部分に連通する注水口部分を有して前記蓋部の裏面に固定され、水を収容可能な非透水性シートで形成された可撓性を有する袋部と、
前記両側の支持脚部に、切れ目が入れられて該支持脚部から分離されるとともに一端においてその支持脚部と一体につながるように形成され、その一端を基端として前記支持脚部から折り曲げられることにより互いに反対側の支持脚部に向かって中間で一部重なり合うように延び、その中間で一部重なり合う先端部に形成された係合部において互いに係合し連結されることにより前記両側の支持脚部を門形状態に保持する連結補強部と、を備え
前記蓋部及び支持脚部が平面状に展開された状態の前記容器本体の前記蓋部裏面に、前記可撓性を有する袋部が扁平状に保持される非使用状態から、前記容器本体の前記蓋部の両側の支持脚部がそれぞれ内側に曲げ込まれて門形状に起立した使用状態となり、かつ、前記両側の支持脚部から前記連結補強部が折り曲げられ、前記係合部において互いに係合し連結されて前記支持脚部が門形状に保持されるとともに、その状態で前記蓋部及び袋部の注水口部分から袋部内に水が注水されることにより袋部が前記開放空間において拡開し、かつ前記花き類の切茎端部が前記蓋部及び袋部の注水口部分を経て前記袋部内の水収容部分に挿入され、前記花き類の茎部分が前記蓋部の注水口部分で保持され、前記蓋部を前記支持脚部で支持し前記花き類を立てた状態で保持することを特徴とする鮮度保持容器。
【請求項２】
前記連結補強部は、前記門形状とされる両側の各支持脚部の高さ方向に沿って形成された切れ目に基づき各支持脚部の高さ方向に延びるように形成され、かつ各支持脚部と一体的につながれた一端を基端として水平側へそれぞれ折り曲げられることにより、前記中間で重なり合うように延び、その中間で重なり合う先端部に形成された係合部において互いに係合し連結される請求項１に記載の鮮度保持容器。
【請求項３】
前記連結補強部は、前記両側の支持脚部の高さ方向の中間位置を下端としてそこから上部に向かって延びる切れ目に基づき、各支持脚部の側縁が前記連結補強部の側縁となるように形成され、前記下端を基端として水平側に曲げ倒されるように折り曲げられることにより、前記中間で重なり合うように延び、その中間で重なり合う先端部に形成された係合部において互いに係合し連結される請求項２に記載の鮮度保持容器。
【請求項４】
前記連結補強部は、前記門形状とされる両側の各支持脚部の奥行き方向に沿って形成された切れ目に基づき各支持脚部の奥行き方向に延びるように形成され、かつ各支持脚部と一体的につながれた一端を基端として横方向側へそれぞれ折り曲げられることにより、前記中間で重なり合うように延び、その中間で重なり合う先端部に形成された係合部において互いに係合し連結される請求項１に記載の鮮度保持容器。
【請求項５】
前記連結補強部は、基端としてそれぞれ折り曲げられた折り目が高さ方向又は奥行き方向に対して傾斜する形で形成され、かつその傾斜した基端で折り曲げられることにより、前記中間で重なり合うように延び、その中間で重なり合う先端部に形成された係合部において互いに係合し連結されて、その連結された連結補強部によって該連結補強部の上端側より下端側の方が前記開放空間の内部に入り込むように傾斜する傾斜面が構成され、その傾斜面により前記蓋部及び袋部の注水口部分から袋部内に注水されることにより、前記袋部が下方に誘導されて拡開する請求項１ないし４のいずれか１項に記載の鮮度保持容器。
【請求項６】
前記連結補強部の係合部は、各連結補強部の先端部の側縁において互いに反対側の側縁から内部に向かって逆向きに形成された係止スリットとされ、これらの係止スリットが互いに差し込まれて連結される請求項１ないし５のいずれか１項に記載の鮮度保持容器。
【請求項７】
前記連結補強部の係合部は、一方の連結補強部の先端部に形成された、先端ほど幅が広くなる形状に形成された凸部と、他方の連結補強部の先端部に形成された、深さが深いほど幅が広くなる形状の凹部との組合せからなり、前記凸部が前記凹部に抜け止め状態で掛止される請求項１ないし５のいずれか１項に記載の鮮度保持容器。
【請求項８】
前記連結補強部の係合部は、双方の連結補強部の先端部に向かい合わせるように門形に入れられた切れ目により先端側が分離形態で、基端側が前記連結補強部と一体につながった舌片状の、先端側ほど幅が広くなる形状に形成された２個の凸部によって形成され、これらの凸部同士が重なり合う状態で厚さ方向に押し込まれることにより、一方の凸部の先端側の幅広部分が他方の凸部の押し込まれた後の穴部の幅狭部分に係止される請求項１ないし５のいずれか１項に記載の鮮度保持容器。
【請求項９】
前記連結補強部の係合部は、一方の連結部の先端部に形成された開口部と、他方の連結補強部の先端部に前記開口部に対応するように門形にいれられた切れ目により所定方向が分離形態で、基端側が前記連結補強部と一体につながった舌片状の凸部との組合せからなり、前記凸部と前記開口部とが重なり合う状態で該凸部を該開口部に厚さ方向に押し込まれることにより係止される請求項１ないし５のいずれか１項に記載の鮮度保持容器。
【考案の詳細な説明】
【技術分野】
【０００１】
本考案は、鮮度保持容器に関する。
【背景技術】
【０００２】
従来、切り花、鉢植えの花き類の鮮度を保持するための容器として、段ボール、プラスチック及びそれらを組合せた種々の容器が使用されている。鮮度を保持して生産地から市場等へ輸送するには、花き類を立てた状態で輸送するのが最適である。例えば特許文献１に示すように、発泡プラスチックを用いて構成した輸送に適した容器が提案されている。
【特許文献１】実開平７−６１７３
【考案の開示】
【考案が解決しようとする課題】
【０００３】
しかしながら、花き類を立てた状態で輸送するのが最適であるが、輸送中に水を入れたまま容器が横倒しになることもあり、特許文献１における輸送容器では水濡れが発生する恐れがある。また、容器を受け取った側で再利用する場合を除いて、使用済みの容器を廃棄処分するときに処理するのに適したものではなく、発泡プラスチックを用いてコスト的にも高くなる問題がある。
【０００４】
本考案は、上記した背景をもとになされたものであり、コストが安く、リサイクルが容易にでき、輸送中も安定して花き類を保持することができる鮮度保持容器を提供することを課題とする。
【課題を解決するための手段及び考案の効果】
【０００５】
上記課題を解決するために、本考案の鮮度保持容器は、
花き類を収容して輸送可能な花き類の鮮度を保持する鮮度保持容器であって、
花き類の茎を収容する収容口を兼ねる注水口部分を有する蓋部と、その蓋部の両端部から下方に延びて当該容器を据え置き可能とする両側の支持脚部とが、１枚の厚紙から門形状に曲げられて形成され、それら支持脚部が対向する方向と直角な方向に開放空間を有する容器本体と、
蓋部の注水口部分に連通する注水口部分を有して蓋部の裏面に固定され、水を収容可能な非透水性シートで形成された可撓性を有する袋部と、
両側の支持脚部に、帯状に切れ目が入れられて該支持脚部から分離されるとともに一端においてその支持脚部と一体につながるように形成され、その一端を基端として支持脚部から折り曲げられることにより互いに反対側の支持脚部に向かって中間で一部重なり合うように延び、その中間で一部重なり合う先端部に形成された係合部において互いに係合し連結されることにより両側の支持脚部を門形状態に保持する連結補強部と、を備え
蓋部及び支持脚部が平面状に展開された状態の容器本体の蓋部裏面に、可撓性を有する袋部が扁平状に保持される非使用状態から、容器本体の蓋部の両側の支持脚部がそれぞれ内側に曲げ込まれて門形状に起立した使用状態となり、かつ、両側の支持脚部から連結補強部が折り曲げられ、係合部において互いに係合し連結されて支持脚部が門形状に保持されるとともに、その状態で蓋部及び袋部の注水口部分から袋部内に水が注水されることにより袋部が開放空間において拡開し、かつ花き類の切茎端部が蓋部及び袋部の注水口部分を経て袋部内の水収容部分に挿入され、花き類の茎部分が蓋部の注水口部分で保持され、蓋部を支持脚部で支持し花き類を立てた状態で保持することを特徴とする。
【０００６】
また、本考案の鮮度保持容器は、
連結補強部は、門形状とされる両側の各支持脚部の高さ方向に沿って形成された切れ目に基づき各支持脚部の高さ方向に延びるように形成され、かつ各支持脚部と一体的につながれた一端を基端として水平側へそれぞれ折り曲げられることにより、中間で重なり合うように延び、その中間で重なり合う先端部に形成された係合部において互いに係合し連結されるようにすることができる。
【０００７】
また、本考案の鮮度保持容器は、
連結補強部は、両側の支持脚部の高さ方向の中間位置を下端としてそこから上部に向かって延びる切れ目に基づき、各支持脚部の側縁が連結補強部の側縁となるように形成され、下端を基端として水平側に曲げ倒されるように折り曲げられることにより、中間で重なり合うように延び、その中間で重なり合う先端部に形成された係合部において互いに係合し連結されるようにすることができる。
【０００８】
また、本考案の鮮度保持容器は、
連結補強部は、門形状とされる両側の各支持脚部の奥行き方向に沿って形成された切れ目に基づき各支持脚部の奥行き方向に延びるように形成され、かつ各支持脚部と一体的につながれた一端を基端として横方向側へそれぞれ折り曲げられることにより、中間で重なり合うように延び、その中間で重なり合う先端部に形成された係合部において互いに係合し連結されるようにすることができる。
【０００９】
また、本考案の鮮度保持容器の具体的な態様の第１として、
連結補強部の係合部は、各連結補強部の先端部の側縁において互いに反対側の側縁から内部に向かって逆向きに形成された係止スリットとされ、これらの係止スリットが互いに差し込まれて連結されるようにすることができる。
に記載の鮮度保持容器。
【００１０】
また、本考案の鮮度保持容器の具体的な態様の第２として、
連結補強部の係合部は、一方の連結補強部の先端部に形成された、先端ほど幅が広くなる形状に形成された凸部と、他方の連結補強部の先端部に形成された、深さが深いほど幅が広くなる形状の凹部との組合せからなり、凸部が凹部に抜け止め状態で掛止されるようにすることができる。
【００１１】
また、本考案の鮮度保持容器の具体的な態様の第３として、
連結補強部の係合部は、双方の連結補強部の先端部に向かい合わせるように門形に入れられた切れ目により先端側が分離形態で、基端側が連結補強部と一体につながった舌片状の、先端側ほど幅が広くなる形状に形成された２個の凸部によって形成され、これらの凸部同士が重なり合う状態で厚さ方向に押し込まれることにより、一方の凸部の先端側の幅広部分が他方の凸部の押し込まれた後の穴部の幅狭部分に係止されるようにすることができる。
【００１２】
また、本考案の鮮度保持容器の具体的な態様の第４として、
連結補強部の係合部は、一方の連結部の先端部に形成された開口部と、他方の連結補強部の先端部に開口部に対応するように門形にいれられた切れ目により所定方向が分離形態で、基端側が連結補強部と一体につながった舌片状の凸部との組合せからなり、凸部と開口部とが重なり合う状態で該凸部を該開口部に厚さ方向に押し込まれることにより係止されるようにすることができる。
【００１３】
上記本考案の鮮度保持容器によれば、例えば出荷箱などの外箱内に据え置かれ、相互の連結補強部がしっかりと係合して連結することで、その連結補強部が一部として形成された支持脚部を補強するとともに、その支持脚部で容器全体を動かないようにした構造のため、輸送中などにも花き類を立てた状態で安定して保持できる。また、厚紙（例えば段ボール）と非透水性シート（例えばポリエチレン製シート）で形成された袋部とで鮮度保持容器が構成されているので、コスト的にも安くでき、かつ使用済みの容器を厚紙と袋とに分離すればリサイクルが容易で、その厚紙を資源として再利用することも可能である。
【００１４】
また、連結補強部が支持脚部を補強するとともに、袋部の腹部に当接した状態となるので、容器が横倒し状態になったときにその当接した連結補強部が袋部注水口側への水の移動を阻止する状態となり、すなわち連結補強部が防水壁となり、蓋部による防水壁と２重の壁が形成され、水が一層流出し難い効果を奏する。
【００１５】
また、本発明の鮮度保持容器は、
連結補強部は、基端としてそれぞれ折り曲げられた折り目が高さ方向又は奥行き方向に対して傾斜する形で形成され、かつその傾斜した基端で折り曲げられることにより、中間で重なり合うように延び、その中間で重なり合う先端部に形成された係合部において互いに係合し連結されて、その連結された連結補強部によって該連結補強部の上端側より下端側の方が開放空間の内部に入り込むように傾斜する傾斜面が構成され、その傾斜面により蓋部及び袋部の注水口部分から袋部内に注水されることにより、袋部が下方に誘導されて拡開するようにすることができる。
【００１６】
本発明の如く、連結補強部は、基端として支持脚部から折り曲げられる折り目が高さ方向及び奥行き方向に対して傾斜する形で形成されている。換言すれば、連結補強部を支持脚部から一端において一体的につながるように分離するために、その基端となる両側へ延びるように入れられた切れ目において、一方が他方よりも延出して形成されている。これにより、互いの連結補強部が中間で重なり合い連結した時に、蓋部と支持脚部とで形成される開放空間において該連結補強部の上端側が下端側の方が内部に入り込むように傾斜する傾斜面が構成されるので、注水したときにその傾斜面が袋部の下方への拡開のガイドとなり、作業者が手で袋部の位置を手直しするなどの作業が必要なくスムーズに使用状態（膨らんだ状態）へと誘導することができる。ひいては、上記のように、袋部の腹部に当接した状態となり、容器が横倒し状態になったときにその当接した連結補強部が袋部注水口側への水の移動を阻止することができる。
【考案を実施するための最良の形態】
【００１７】
以下、本考案の実施の形態を、図面を参照して説明する。図１は、本考案に係る鮮度保持容器を示す斜視図、図２は、本考案に係る鮮度保持容器を示す正面図、図３は、本考案に係る鮮度保持容器を示す背面図、図４は、本考案に係る鮮度保持容器を示す右側面図、図５は、本考案に係る鮮度保持容器を一部破断して示す平面図、図６は、本考案に係る鮮度保持容器の展開図、図７は、図６のＡ−Ａ断面図である。
【００１８】
図１乃至図５に示すように、鮮度保持容器１は、例えば段ボール等の厚紙で形成された容器本体１０と、その容器本体１０に固定された袋部２０とを備えている。
【００１９】
容器本体１０は、切り花などの花きを収容する収容口を兼ねる注水口１１を有する蓋部１２と、その蓋部１２を支持するために相対向する位置で蓋部１２に連接して形成された一対の支持脚部１３，１３とを備えている。袋部２０は、柔軟性を有しかつ水を収容可能な非透水性シート（例えばポリエチレン製シート）で形成されている。
【００２０】
ここで、図６に示すように、容器本体１０は、段ボールに設けられた折り目線１４，１４に沿って折り曲げることにより、蓋部１２の両側に一対の支持脚部１３，１３が形成される。蓋部１２には、対向する長辺１５，１５から中央寄りに離間した位置に、長辺１５，１５と平行なミシン目線１６（区画線）が設けられている。このミシン目線１６の両端には、それぞれ山形状（又は台形状）のミシン目線１７，１７（区画線）が設けられている。ミシン目線１７，１７は、それぞれその頂部領域においてミシン目線１６とつながっている。
【００２１】
これらミシン目線１６及び１７，１７部分を押し込むことにより、ミシン目線１６及び１７，１７が切り離され開口し注水口１１が形成される。ミシン目線１６及び１７，１７が切り離されることにより、蓋部側注水口１１部分に長舌片１８，１８（舌片）と短舌片１９，１９（舌片）とが形成される（図１参照）。なお、ミシン目線１６及び１７，１７は、スリット（切り込み線）としてもよい。
【００２２】
また、支持脚部１３には、その支持脚部１３の一部として長手状形態をなし（本実施形態においては門形状となる容器本体１０の高さ方向に延びる形で背面側縁部に沿って形成）、その一端が基端として折り目線１３ｄで該支持脚部１３に連接され、他端がその先端領域に切欠部（係止スリット）１３ｂを有し該連接された基端（折り目線１３ｄ）を回転中心として回転可能となる形で切れ目に基づき切り抜かれた一対の連結補強部１３ａが支持脚部１３に一体的に形成されている。また、その一対の連結補強部１３ａには、互いに反対側の側縁から内部に向かって逆向きに形成された切欠部１３ｂにより先端領域に係止片１３ｃが形成されており、容器本体１０を組み立てた時に、具体的には支持脚部１３，１３を蓋部１２に対して折り目線１４，１４に沿って折り曲げた時に、一対の連結補強部１３ａを基端（折り目線１３ｄ）を回転中心として互いに接近する方向に回転させ切欠部１３ｂを互いに着脱可能に係合することにより、すなわちそれぞれの切欠部１３ｂを介して係止片１３ｃが互いに係止することにより（図３，５参照）、蓋部１２を支持する姿勢で支持脚部１３，１３を保持することができる。なお、本実施例において係止片を含み切欠部（係止スリット）が本考案の係合部に相当する。また、一対の連結補強部としたが、これに限定するものではなく、長さの異なる連結補強部を形成してもよく、その場合には、互いに係合部によって係合し連結する位置が調整され、例えば、後述する袋部との当接位置に連結位置を外して形成することができる。
【００２３】
また、一対の連結補強部１３ａ，１３ａの長手方向の長さ、例えば連結補強部１３ａ，１３ａの基端となる折り目線１３ｄの位置を調整することにより、支持脚部１３，１３が蓋部１２を支持する姿勢（傾斜角度）を変更することができ、本実施例では図２，３に示すように支持脚部１３，１３の下端が相互に近づくように傾斜した状態で保持されている。これにより、一対の連結補強部１３ａ，１３ａで支持脚部１３，１３が補強されて安定した形態となるので、鮮度保持容器１が自立した状態となり、一対の支持脚部１３，１３の傾斜した脚部間に蓋部１２から垂下した状態に配置された袋部２０に注水口１１から容易に水を入れることができる。また、支持脚部１３が相互に近づくように傾斜しているため、垂下した状態に配置された袋部２０に水を入れた時にその傾斜面が壁となり、柔軟性を有する袋部２０が底にいくにつれて末広がるのを抑制して、水をその傾斜面によって中央寄りに集めることができ（水がロスとなる角隅部にはいかないため）、鮮度保持容器１を安定した状態で配置することができる。ひいては、比較的小量の水にも拘らず有効な嵩高の水を得ることができ、水の無駄がない。
【００２４】
図６及び図７で示すように、袋部２０は、シート両端部が袋綴じ（綴じ部２１，２１）され、シート長手方向の相対向する腹部が谷折り（谷折り部２２，２２）され、上下にシート（上シート２３，下シート２４）が重ね合わされた状態に形成されている。上シート２３には、長辺２５，２５から中央寄りに離間した位置に、長辺２５，２５と平行なミシン目線２６（区画線）が設けられている。このミシン線２６の両端には、ミシン目線２６と直交するミシン目線２７，２７（区画線）が設けられている。これらミシン目線２６及び２７，２７部分を押し込むことにより、ミシン目線２６及び２７，２７が切り離され開口し袋部側注水口２８が形成される。
【００２５】
袋部側注水口２８の開口縁の縦方向及び横方向の幅は、蓋側注水口１１の開口縁の縦方向及び横方向の幅よりも大になるように形成されている。すなわち袋部２０のミシン目線２６及び２７，２７の長さが、蓋部１２のミシン目線１６及び１７，１７の長さより大に形成されている。
【００２６】
そして、図８に示すように、蓋部１２の下面における蓋部側注水口１１の開口縁の外側に、袋部２０の重ね合わされた上のシート２３が、蓋部側注水口１１と袋部側注水口２８とが連通した状態で、接着部材（例えば接着のり）により固定されている。すなわち蓋部１２と袋部２０とが周状に接着面３０を有し固定されている。
【００２７】
次に、袋部２０の製造方法について説明する。
（１）断面が筒状（円筒状）のポリエチレン製シートの長尺のものを使用する。吹流し状態のシートの腹部両側から突き棒（又は突き板）を当てて予め谷折り部２２，２２を形成する。谷折り部２２，２２が形成されたシートは巻き取り装置に一旦巻き取られる。
（２）巻き取り装置から予め谷折り部２２，２２が形成された状態のシートを引出し、シート内の上のシート２３の下面に所定大きさのミシン目形成用の下敷きとなる敷き板を配置する。この敷き板を下敷きにして上のシート２３に刃（カッター）を当て、上のシート２３のみにミシン目線１６及び１７，１７を形成する。
【００２８】
（３）続いてシートを製造工程の下流方向に搬送し、シートの端部を所定幅の溶着しろをもって溶着し、その後溶着部の中心線にそって切断することにより、次の袋の端部が溶着された状態（綴じ部２１が形成された状態）となる。
（４）以降、ミシン目形成、搬送、溶着、切断の工程が繰返されることにより袋部２０が形成される。このように形成した袋部２０は、水を収容する底部に溶着部分を有しない構造にできる。
【００２９】
次に、本発明の鮮度保持容器１の使用例について説明する。図９は鮮度保持容器１を出荷箱４０（外箱）に配置した状態の正面断面図である。出荷箱４０は、直方体を立てた形態をなし前面に開閉する蓋（扉）を有している。まず、容器本体１０を折り目線１４に沿って折り曲げて、蓋部１２の両側に支持脚部１３，１３を形成した後、その支持脚部１３，１３に一体的に形成された連結補強部１３ａ，１３ａを折り目線１３ｄに沿って互いに接近する方向に折り曲げて、その連結補強部の先端部の側縁において互いに反対側の側縁から内部に向かって逆向きに形成された切欠部１３ｂ，１３ｂを介して係止片１３ｃ，１３ｃを係合・係止させて鮮度保持容器１を組み立て、その組み立てた鮮度保持容器１を出荷箱４０の前面から、好ましくは連結補強部１３ａ部分が出荷箱４０の奥部（後部）に位置するように納めて、支持脚部１３，１３により出荷箱４０内に据え置かれた状態に設けられる。すなわち蓋部１２をほぼ水平状態（出荷箱４０の底面に対して平行状態）にして出荷箱４０内に鮮度保持容器１を据え置き、一対の支持脚部１３，１３の間に袋部２０が蓋部１２から垂下した状態に配置される。連結補強部１３ａ，１３ａは、蓋部１２に対して傾斜もしくは平行な状態で係合・係止され、かつ水が収容された袋部２０の腹部の位置に配置される。
【００３０】
続いて、蓋部側注水口１１部分を形成するミシン目線１６及び１７，１７部分を押し込むことにより、ミシン目線１６及び１７，１７が切り離され開口し注水口１１が形成される。このとき同時に袋部側注水口２８を形成するミシン目線２６及び２７，２７が切り離され開口し注水口２８が形成される。ミシン目線１６及び１７，１７が切り離されることにより、蓋部側注水口１１部分に長舌片１８，１８と短舌片１９，１９とが形成される。同時にミシン目線２６及び２７，２７が切り離されることにより、袋部側注水口２８部分に舌片（いずれも図示しない）が形成される。
【００３１】
開口した注水口１１（２８）から水を袋部２０内に注入すると、袋部２０の谷折り部２２，２２が開き収容空間が形成される。複数の切り花４１を注水口１１（２８）から差込み、切り花４１の切茎端部を袋部２０内の水部分４２に挿入する。切り花４１の茎部分が蓋部１２の注水口１１部分の長舌片１８，１８と短舌片１９，１９とにより保持される。鮮度保持容器１により切り花４１を出荷箱４０内において立てた状態で保持できる。注入する水の量は出荷箱４０（鮮度保持容器１）が倒れた場合にこぼれない程度が望ましく、図９に示すように、その水位は連結補強部１３ａ，１３ａの位置よりも低くしている。
【００３２】
図１０は輸送時等に出荷箱４０が横倒しになった場合の状態を示す。鮮度保持容器１が横倒し状態になったときに、係合・係止された一対の連結補強部１３ａ，１３ａが袋部２０の腹部に当接して、その連結補強部１３ａ，１３ａが壁となり蓋部１２の注水口１１方向への袋部２０の水の移動を防止・抑制する。このとき、上述のように袋部２０内に注水した水の水位が連結補強部１３ａ，１３ａの係合の位置よりも低くすることで、より効果的に水の移動を防止・抑制することができる。また、鮮度保持容器１が横倒し状態になったときに、蓋部１２の注水口１１が、蓋部１２の側辺から中央寄りに離間した位置に設けてあるため、開口位置までの離間した部分が壁となり、袋部２０内の水が蓋部１２の開口部分から外部へ流出するのを防止・抑制し、水が外へ移動せず袋部２０内に効果的に留まらせることができる。さらに、注水口１１部分には舌片１８(又は１９)が形成されているため、その舌片１８（又は１９）が水流出防止壁となり、水の流出防止効果が高められる。すなわち、連結補強部１３ａ，１３ａによる水の流出防止と、蓋部１２の開口部分までの壁による水の流出防止との２段階の水の流出防止機能を備えているので、鮮度保持容器１が横倒し状態になった場合にもより確実に水の流出を防止又は抑制することができる。なお、機械化された市場などで荷捌き機で出荷箱を選別、搬送が行われる際に出荷箱が横になる状態も有り得るが、そのような場合においても水が外部に流出することを防止できる。
【００３３】
さらに、連結補強部１３ａ，１３ａを支持脚部１３，１３の一部として段ボールを打抜く形で設けることにより別部材などを必要とすることなく、簡単な構造で支持脚部１３，１３を補強し、鮮度保持容器１を安定した形態（立てた状態）にでき、鮮度保持容器１が自立した状態となるため、注水口１１から水も入れ易く、出荷箱４０に置くだけでよい。連結補強部１３ａ，１３ａにより支持脚部１３，１３が補強されて蓋１２が安定して保持されるためその蓋部１２の両端が出荷箱４０の両側壁に当接して固定され、鮮度保持容器１が安定する。
【００３４】
このように、鮮度保持容器１は、出荷箱４０内に据え置かれ支持脚部１３，１３で動かないようにした構造のため、輸送中などにも切り花４１を立てた状態で安定して保持でき、水が漏れる恐れがないため常に水が花きに供給され鮮度がよい状態を保持できる。また、段ボールからなる容器本体１０と非透水性シート（ポリエチレン製シート）で形成された袋部２０とで鮮度保持容器１が構成され、コスト的にも安くでき、かつ使用済みの容器を段ボールと袋とに分離すればリサイクルが容易にでき、段ボールを資源として再利用することも可能である。
【００３５】
また、鮮度保持容器１は、段ボールを折ることにより支持脚部１３，１３を形成でき、さらには別部材などがなく、支持脚部１３，１３の一部として一体的に設けた連結補強部１３ａ，１３ａの係合部を係合・係止して連結するだけで組み立てすることができるので製造コストを安くでき、また水が収容される袋部２０を一対の支持脚部１３，１３で支えられ、袋部２０は縮まる方向には動かないので、輸送中の振動などに対しても安定し状態を維持できる。さらに、組立前は板状でかつ袋部２０も折り畳まれた状態を呈し、嵩張らず省スペースのため、保管、輸送が効率化できる。
【００３６】
また、袋部２０は、シート両端部で袋綴じして形成しており、水収容底部に溶着部分がないため底部からの水漏れのおそれがない。また、谷折りした袋形状により、折り畳まれた状態ではコンパクトでスペースをとらず、かつ開いたときに十分な水収容空間を確保できる。
【００３７】
次に、本考案の別の実施形態を、図面を参照して説明する。図１１は、別の実施形態に係る鮮度保持容器を示す斜視図、図１２は、別の実施形態に係る鮮度保持容器を示す背面図、図１３は、別の実施形態に係る鮮度保持容器を示す右側面図、図１４は、別の実施形態に係る鮮度保持容器の展開図、図１５は、別の実施形態に係る鮮度保持容器の使用状態を示す図、図１６は、別の実施形態に係る鮮度保持容器の横倒し状態を示す図である。なお、別の実施形態において上記実施例と同様な部分の説明は同一の符号を付して詳細な説明を省略又は簡略化する。
【００３８】
図１１乃至図１４に示すように、支持脚部１３には、その支持脚部１３の一部として長手状形態をなし（別の実施例においては門形状とされる容器本体１０の奥行き方向に延びる形で支持脚部の中央領域に形成）、その一端が基端として折り目線１３０ｄで該支持脚部１３に連接され、他端がその先端領域に切欠部１３０ｂを有し該連接された基端（折り目線１３０ｄ）を回転中心として回転可能となる形で切り抜かれた一対の連結補強部１３０ａ，１３０ａが形成されている。なお、基端として折り目線１３０ｄは容器本体１０（鮮度保持容器１）の背面側に形成されている。また、その一対の連結補強部１３０ａ，１３０ａには、先端部の側縁において互いに反対側の側縁から内部に向かって逆向きに形成された切欠部１３０ｂ，１３０ｂにより係止片１３０ｃ，１３０ｃが形成されており、容器本体１０を組み立てた時に、具体的には支持脚部１３，１３を蓋部１２に対して折り目線１４，１４に沿って折り曲げた時に、一対の連結補強部１３０ａを基端（折り目線１３０ｄ）を回転中心として互いに接近する方向（水平側）で中間で重なり合うように回転させて切欠部１３０ｂ，１３０ｂを互いに着脱可能に係合して連結することにより、すなわちそれぞれの切欠部１３０ｂ，１３０ｂを介して係止片１３０ｃ，１３０ｃが互いに係止することにより（図１２参照）、蓋部１２を支持する姿勢で支持脚部１３，１３を保持することができる。
【００３９】
一対の連結補強部１３０ａ，１３０ａの長手方向の長さ、例えば連結補強部１３０ａ，１３０ａの基端となる折り目線１３０ｄの位置を調整することにより、支持脚部１３，１３が蓋部１２を支持する姿勢（傾斜角度）を変更することができ、別の実施例では図１２に示すように支持脚部１３，１３の下端が相互に近づくように傾斜した状態で保持されている。これにより、一対の連結補強部１３０ａ，１３０ａで支持脚部１３，１３が補強されて安定した形態となるので、鮮度保持容器１Ａが自立した状態となり、一対の支持脚部１３，１３の傾斜した脚部間に蓋部１２から垂下した状態に配置された袋部２０に注水口１１から容易に水を入れることができる。また、支持脚部１３が相互に近づくように傾斜しているため、垂下した状態に配置された袋部２０に水を入れた時にその傾斜面が壁となり、柔軟性を有する袋部２０が底にいくにつれて末広がるのを抑制して、水をその傾斜面によって中央寄りに集めることができ（水がロスとなる角隅部にはいかないため）、鮮度保持容器１を安定した状態で配置することができる。ひいては、比較的小量の水にも拘らず有効な嵩高の水を得ることができ、水の無駄がない。
【００４０】
次に、本発明の鮮度保持容器１Ａの使用例について説明する。図１５は鮮度保持容器１Ａを出荷箱４０（外箱）に配置した状態の正面断面図である。まず、容器本体１０を折り目線１４，１４に沿って折り曲げて、蓋部１２の両側に支持脚部１３，１３を形成した後、その支持脚部１３，１３に一体的に形成された連結補強部１３０ａ，１３０ａを折り目線１３０ｄに沿って互いに接近する方向に折り曲げて、切欠部１３０ｂ，１３０ｂを介して係止片１３０ｃ，１３０ｃを係合・係止させて鮮度保持容器１Ａを組み立て、その組み立てた鮮度保持容器１Ａを出荷箱４０の前面から好ましくは連結補強部１３０ａ部分が出荷箱４０の奥部（後部）に位置するように納めて、支持脚部１３，１３により出荷箱４０内に据え置かれた状態に設けられる。すなわち蓋部１２をほぼ水平状態（出荷箱４０の底面に対して平行状態）にして出荷箱４０内に鮮度保持容器１を据え置き、一対の支持脚部１３，１３の間に袋部２０が蓋部１２から垂下した状態に配置される。連結補強部１３０ａ，１３０ａは、蓋部１２に対して傾斜もしくは平行な状態で係合・係止され、かつ水が収容された袋部２０の腹部の位置に配置される。
【００４１】
図１６は輸送時等に出荷箱４０が横倒しになった場合の状態を示す。鮮度保持容器１Ａが横倒し状態になったときに、係合・係止された一対の連結補強部１３０ａ，１３０ａが袋部２０の腹部を持ち上げた形となり、その連結補強部１３０ａ，１３０ａによって持ち上げられた事により垂れ下がる袋部２０の一部が壁となり蓋部１２の注水口１１方向への袋部２０の水の移動を防止・抑制する。また、鮮度保持容器１Ａが横倒し状態になったときに、蓋部１２の注水口１１が、蓋部１２の側辺から中央寄りに離間した位置に設けてあるため、開口位置までの離間した部分が壁となり、袋部２０内の水が蓋部１２の開口部分から外部へ流出するのを防止・抑制し、水が外へ移動せず袋部２０内に効果的に留まらせることができる。さらに、注水口１１部分には舌片１８(又は１９)が形成されているため、その舌片１８（又は１９）が水流出防止壁となり、水の流出防止効果を高められる。すなわち、連結補強部１３０ａ，１３０ａによる水の流出防止と、蓋部１２の開口部分までの壁による水の流出防止との２段階の水の流出防止機能を備えているので、鮮度保持容器１Ａが横倒し状態になった場合にもより確実に水の流出を防止又は抑制することができる。なお、機械化された市場などで荷捌き機で出荷箱を選別、搬送が行われる際に出荷箱が横になる状態も有り得るが、そのような場合においても水が外部に流出することを防止できる。
【００４２】
さらに、連結補強部１３０ａ，１３０ａを支持脚部１３，１３の一部として段ボールを打抜く形で設けることにより別部材などを必要とすることなく、簡単な構造で支持脚部１３，１３を補強し、鮮度保持容器１Ａを安定した形態（立てた状態）にでき、鮮度保持容器１Ａが自立した状態となるため、注水口１１から水も入れ易く、出荷箱４０に置くだけでよい。連結補強部１３０ａ，１３０ａにより支持脚部１３，１３が補強されて蓋１２が安定して保持されるためその蓋部１２の両端が出荷箱４０の両側壁に当接して固定され、鮮度保持容器１が安定する。
【００４３】
次に、本考案の実施形態の変形例１を、図面を参照して説明する。図２０は、変形例１に係る鮮度保持容器１Ｃを示す斜視図、図２１は、変形例１に係る鮮度保持容器１Ｃを示す背面図、図２２は、変形例１に係る鮮度保持容器１Ｃを示す右側面図、図２３は、変形例１に係る鮮度保持容器１Ｃの展開図、図２４は、変形例１に係る鮮度保持容器１Ｃの使用状態を示す図、図２５は、変形例１に係る鮮度保持容器１Ｃの横倒し状態を示す図、図２６は、変形例１に係る鮮度保持容器１Ｃの注水工程を示す図である。なお、変形例１において上記実施例と同様な部分の説明は同一の符号を付して詳細な説明を省略又は簡略化する。
【００４４】
図２０乃至図２３に示すように、支持脚部１３には、その支持脚部１３の一部として長手状形態をなし（変形例１においては門形状とされる容器本体１０の奥行き方向に延びる形で支持脚部の中央領域に形成）、その一端が基端として折り目線２３０ｄで該支持脚部１３に連接され、他端がその先端領域に切欠部２３０ｂを有し、該連接された基端（折り目線２３０ｄ）を回転中心として回転可能となる形で切り抜かれた一対の連結補強部２３０ａ，２３０ａが形成されている。なお、基端として折り目線２３０ｄは容器本体１０（鮮度保持容器１Ｃ）の背面側に形成されている。
【００４５】
また、その一対の連結補強部２３０ａ，２３０ａには、先端部の側縁において互いに反対側の側縁から内部に向かって逆向きに形成された切欠部２３０ｂ，２３０ｂにより係止片２３０ｃ，２３０ｃが形成されており、容器本体１０を組み立てた時に、具体的には支持脚部１３，１３を蓋部１２に対して折り目線１４，１４に沿って折り曲げた時に、一対の連結補強部２３０ａを基端（折り目線２３０ｄ）を回転中心として互いに接近する方向（水平側）で中間で重なり合うように回転させて切欠部２３０ｂ，２３０ｂを互いに着脱可能に係合して連結することができる。すなわちそれぞれの切欠部２３０ｂ，２３０ｂを介して係止片２３０ｃ，２３０ｃが互いに係止することにより（図２１参照）、蓋部１２を支持する姿勢で支持脚部１３，１３を保持することができる。なお、支持脚部１３には連結補強部２３０ａ，２３０ａに隣接して指掛穴２３０ｈ，２３０ｈが形成されており、その指掛穴２３０ｈに指又は専用の治具を引っ掛けることで、連結補強部２３０ａ，２３０ａを支持脚部１３，１３から分離し易くなっている。
【００４６】
ここで、折り目線２３０ｄ，２３０ｄは、容器本体１０の高さ方向又は奥行き方向に対して傾斜する形で形成されている。具体的には、支持脚部１３，１３において中央側（手前側）に向かって下る方向（上端側よりも下端側が中央寄り）に傾斜して形成されている。（換言すれば、その折り目線２３０ｄ，２３０ｄを形成するために、その折り目線２３０ｄ，２３０ｄ（基端）となる両側へ奥行き方向に延びるように入れられた切れ目において、上側の切れ目が下側の切れ目よりも延出して形成されている。）また、変形例１における連結補強部２３０ａ，２３０ａは、その折り目線２３０ｄ，２３０ｄが平行をなす１辺となる略台形状形態をなし、上端側の切れ目が折り目線１４，１４に平行に形成されている。これにより、容器本体１０を組み立てたときに、連結補強部の上端を比較的上方に位置させることができる。
【００４７】
鮮度保持容器１Ｃを上記実施例と同様に組み立てた時、折り目線２３０ｄ，２３０ｄで折り曲げられて切欠部２３０ｂ，２３０ｂを介して係止片２３０ｃ，２３０ｃを互いに係合・係止させて連結することにより、その連結補強部２３０ａ，２３０ａは、図２５、図２６（Ａ）、及び図２６（Ｂ）に示すように、折り目線２３０ｄの傾斜に伴い、支持脚部１３の中央側に向かって上端側より下端側の方が近づくように傾斜する（換言すれば、連結補強部の上端側より下端側の方が容器本体１０の開放空間の内部に入り込むように傾斜する）傾斜面を構成している。これにより、蓋部１２の注水口１１から注水すると（図２６（Ａ）参照）、その連結補強部２３０ａ，２３０ａによる傾斜面に沿って注水した袋部２０内の水が下方に流れるため、それに伴う袋部２０の拡開を誘導し、スムーズに行うことができる（図２６（Ｂ）参照）。ひいては、上記したように上側の切れ目が比較的上方に設けられているので、その連結補強部２３０ａ，２３０ａの上端側に引っ掛かる惧れがない。なお、見方をかえれば、連結補強部の上端側を袋部２０を投影位置からシフトした位置に設ければよく、そのシフトした位置を起点として上記方向に傾斜させることで、支持脚部１３の面積が侵食されず強度を確保することができる。
【００４８】
また、上記説明した実施例と同様に一対の連結補強部２３０ａ，２３０ａで支持脚部１３，１３が補強されて安定した形態となるので、鮮度保持容器１Ｃが自立した状態となり、一対の支持脚部１３，１３の傾斜した脚部間に蓋部１２から垂下した状態に配置された袋部２０に注水口１１から容易に水を入れることができる。また、支持脚部１３が相互に近づくように傾斜しているため、垂下した状態に配置された袋部２０に水を入れた時にその傾斜面（支持脚部）が壁となり、柔軟性を有する袋部２０が底にいくにつれて末広がるのを抑制して、水をその傾斜面によって中央寄りに集めることができ（水がロスとなる角隅部にはいかないため）、鮮度保持容器１Ｃを安定した状態で配置することができる。ひいては、比較的小量の水にも拘らず有効な嵩高の水を得ることができ、水の無駄がない。また、図２５に示すように、上述の如く鮮度保持容器１Ｃが横倒し状態になった場合にも、注水口１１から水の流出が防止・抑制されることは言うまでもない。
【００４９】
次に、本考案の実施形態の変形例２を、図面を参照して説明する。図２７は、変形例２に係る鮮度保持容器１Ｄを示す斜視図、図２８は、変形例２に係る鮮度保持容器１Ｄを示す展開図、図２９は、変形例２に係る鮮度保持容器１Ｄの注水工程を示す図である。なお、変形例２において上記実施例と同様な部分の説明は同一の符号を付して詳細な説明を省略又は簡略化する。
【００５０】
上記変形例１において略台形状形態をなす連結補強部であるのに対して、変形例２においては、図２７乃至図２９に示すように、連結補強部３３０ａ，３３０ａが帯状形態をなして形成されている。また、折り目線３３０ｄ，３３０ｄは、容器本体１０の高さ方向又は奥行き方向に対して傾斜する形で形成されており、その折り目線３３０ｄ，３３０ｄを基端として高さ方向又は奥行き方向に傾斜する方向に延びる形で連結補強部３３０ａ，３３０ａが形成されている。
【００５１】
鮮度保持容器１Ｄを上記実施例と同様に組み立てた時、折り目線３３０ｄ，３３０ｄで折り曲げられて切欠部３３０ｂ，３３０ｂを介して係止片３３０ｃ，３３０ｃを互いに係合・係止させて連結することにより、その連結補強部３３０ａ，３３０ａは、図２９（Ａ）及び図２９（Ｂ）に示すように、折り目線３３０ｄの傾斜に伴い、支持脚部１３の中央側に向かって下る傾斜面を構成している。これにより、蓋部１２の注水口１１から注水すると（図２９（Ａ）参照）、その連結補強部３３０ａ，３３０ａによる傾斜面に沿って注水した袋部２０内の水が下方に流れるため、袋部２０を誘導し、スムーズに拡開させることができる（図２９（Ｂ）参照）。
【００５２】
次に、本考案の実施形態の変形例３を、図面を参照して説明する。図３０は、変形例３に係る鮮度保持容器１Ｅを示す斜視図、図３１は、変形例３に係る鮮度保持容器１Ｅを示す展開図、図３１は、変形例３に係る鮮度保持容器１Ｅの注水工程を示す図である。なお、変形例３において上記実施例と同様な部分の説明は同一の符号を付して詳細な説明を省略又は簡略化する。
【００５３】
図３０及び図３１に示すように支持脚部１３には、その支持脚部１３の一部として長手状形態をなし（変形例３においては門形状とされる容器本体１０の高さ方向に延びる形で背面側縁部に沿って形成）、その一端が基端として折り目線４３０ｄ，４３０ｄで該支持脚部に連接され他端がその先端領域に切欠部４３０ｂを有し、該連接された基端（折り目線４３０ｄ）を回転中心として回転可能となる形で切り抜かれた一対の連結補強部４３０ａ，４３０ａが形成されている。
【００５４】
ここで、折り目線４３０ｄ，４３０ｄは、容器本体１０の高さ方向又は奥行き方向に対して傾斜する形で形成されている。具体的には、支持脚部１３，１３において背面側縁部の所定高さ位置から中央側（手前側）下方向に傾斜して形成されている。換言すれば、その背面側縁部の所定高さ位置よりも、その背面側縁部に沿って形成される切れ目が下方に延出した位置まで形成されており、それらを繋ぐかたちで折り目線４３０ｄ，４３０ｄが形成されている。）
【００５５】
次に、鮮度保持容器１Ｅを上記実施例と同様に組み立てた時、折り目線４３０ｄ，４３０ｄで折り曲げられて切欠部４３０ｂ，４３０ｂを介して係止片４３０ｃ，４３０ｃを互いに係合・係止させて連結することにより、その連結補強部４３０ｄ，４３０ｄは、図３２（Ａ）及び図３２（Ｂ）に示すように、折り目線４３０ｄの傾斜に伴い、支持脚部１３の中央側に向かって上端側より下端側の方が近づくように傾斜する（換言すれば、連結補強部の上端側より下端側の方が容器本体１０の開放空間の内部に入り込むように傾斜する）傾斜面を構成している。これにより、蓋部１２の注水口１１から注水すると（図３２（Ａ）参照）、その連結補強部４３０ｄ，４３０ｄによる傾斜面に沿って注水した水が下方に流れるため、袋部２０を誘導し、スムーズに拡開させることができる（図３２（Ｂ）参照）。
【００５６】
次に、上記した実施形態及び各変形例における連結補強部の別の態様について説明する。図１７，１８は、連結補強部の別の例を示す図である。図１７に示すように、上述した実施形態又は別の実施形態に設けられる一対の連結補強部の変形例１として、一方が先端縁部から長手方向に突出する係止凸部１３１ｂを有する第１連結補強部１３１ａと、もう一方がその係止凸部１３１ｂに対応して先端縁部から長手方向に切欠かれた係止凹部１３１Ｂを有する第２連結補強部１３１Ａとを含み構成されている。ここで、第１連結補強部１３１ａに形成された係止凸部１３１ｂの先端幅Ｄは、第２連結補強部１３１Ａに形成された係止凹部の開口幅ｄよりも大きく形成されている。すなわち、係止凸部１３１ｂは、先端に向かって連続的又は断続的に、直線状又は曲線状に幅が拡がって形成される外側部１３１ｃを有し、係止凹部１３１Ｂは、その凹部の底から開口に向かって連続的又は断続的に、直線状又は曲線状に幅が狭まって形成される内側部１３１Ｃを有しており、第１及び第２連結補強部１３１ａ，１３１Ａを基端（支持脚部との連接位置）を回転中心として互いに接近する方向に回転させ、例えば、係止凸部１３１ｂを係止凹部１３１Ｂの開口から傾斜させながら差し込むことで、係止凸部１３１ｂの先端幅Ｄが係止凹部１３１Ｂの開口幅ｄよりも大きく形成されているので、引っ張りが生じると外側部１３１ｃと内側部１３１Ｃとが当接して第１及び第２連結補強部１３１ａ，１３１Ａとが抜け止め状態で掛止めされ着脱可能に係合させることができる。これにより、一対の連結補強部１３１ａ，１３１Ａを係合することができるので、支持脚部１３を補強でき、ひいては鮮度保持容器１を安定した状態とすることができる。
【００５７】
次に、図１８に示すように、上述した実施形態及び各変形例に設けられる一対の連結補強部の変形例２として、その一対の連結補強部１３２ａ，１３２ａには、先端領域に一部が基端として折り目線１３２ｄ，１３２ｄで連結補強部１３２ａ，１３２ａに連接され、その連接された折り目線１３２ｄ，１３２ｄを回転中心として厚さ方向に起立可能となる形で切り抜かれたストッパ片１３２ｂ，１３２ｂ（凸部）がそれぞれ形成されている（換言すれば、双方の連結補強部１３２ａ，１３２ａの先端部に向かい合わせるように門形に入れられた切れ目により先端側が分離形態で、基端側が連結補強部１３２ａ，１３２ａと一体的につながった舌片状のストッパ片１３２ｂ，１３２ｂが形成されている）。また、ストッパ片１３２ｂ，１３２ｂが形成されることにより、そのストッパ片１３２ｂ，１３２ｂに対応して開口するストッパ開口１３２ｃ，１３２ｃ（穴部）が形成される。これにより、一対の連結補強部１３２ａ，１３２ａを図示しない基端（支持脚部との連接位置）を回転中心として互いに接近する方向に回転させ、一対の連結補強部１３２ａ，１３２ａにそれぞれ形成されたストッパ片１３２ｂ，１３２ｂが対応する位置で重ねて配置し、少なくともどちらか一方、好ましくは両方のストッパ片１３２ｂを他方の連結補強部に形成されたストッパ開口１３２ｃ内に折り込むように起立させることで、一対の連結補強部１３２ａ，１３２ａを着脱可能に係合させることができる。なお、ストッパ片１３２ｂ，１３２ｂは、連結補強部の長手方向基端側で連接されており、またその連接された基端側から先端側にむかって幅が拡がって形成されている。これにより、係合されたときにより確実に係合することができる。これにより、一対の連結補強部１３２ａ，１３２ａを係合することができるので、支持脚部１３を補強でき、ひいては鮮度保持容器１を安定した状態とすることができる。
【００５８】
次に、上述した実施形態及び変形例に設けられる一対の連結補強部の変形例３として、一方が先端領域に一部が基端として折り目線１３３ｄで自身に連接され、その連接された折り目線１３３ｄを回転中心として厚さ方向に起立可能となる形で門形に切り抜かれたストッパ片１３３ａ（凸部）を有する第１連結補強部と、もう一方がそのストッパ片１３３ａに対応して先端領域に厚さ方向に貫通する開口部１３３ｅを有する第２連結補強部１３３Ａとを含み構成されている。これにより、一対の連結補強部１３３ａ，１３３Ａを図示しない基端（支持脚部との連接位置）を回転中心として互いに接近する方向に回転させ、一対の連結補強部１３３ａ，１３３Ａに形成されたストッパ片１３３ｂ及び開口部１３３ｅが対応する位置で重ねて配置し、ストッパ片１３３ｂを開口部１３３ｅ内に折り込むように起立させることで（押し込むことで）、一対の連結補強部１３３ａ，１３３Ａを着脱可能に係合させるｋとおができる。なお、この例において図中には折り目線１３３ｄは上側に形成されているが、これに限定するものではなく、下側、左右横側、斜め側などでもよく、また、後述する開口部についても、台形形状（先細り形状）としているが、円形、楕円、三角形、矩形、多角形でもよい。これにより、一対の連結補強部１３３ａ，１３３Ａを係合することができるので、支持脚部１３を補強でき、ひいては鮮度保持容器１を安定した状態とすることができる。
【００５９】
次に、上記した実施形態における注水口の別の態様について説明する。図１９は、鮮度保持容器の注水口の別の例を示す図である。この鮮度保持容器１Ｂでは、蓋部１２のほぼ中央部に円形状の注水口１１０を設けている。蓋部１２の下面における蓋部側注水口１１０の開口縁の外側に、袋部２０の重ね合わされた上のシートが、蓋部側注水口１１０と袋部側注水口とが連通した状態で、接着部材により固定されている。注水口１１０部分は開口部から放射状に周方向に等間隔で複数のスリット線１１１が形成され、そのスリット線１１１部分を押し込むことにより舌辺１１２が形成される。蓋部１２も大きく、かつ蓋部１２の大きさに比較し注水口１１０の大きさが小さく形成されているので、上述したように鮮度保持容器１Ｂが横倒し状態になった場合にも、注水口１１０から水の流出が防止・抑制されている。
【００６０】
なお、本発明において、上記実施例に限定されるものではなく、特許請求の範囲の趣旨を逸脱しない限りにおいて、目的、用途に応じて当業者の知識に基づく種々の変更が可能である。
【図面の簡単な説明】
【００６１】
【図１】本考案に係る鮮度保持容器を示す斜視図。
【図２】本考案に係る鮮度保持容器を示す正面図。
【図３】本考案に係る鮮度保持容器を示す背面図。
【図４】本考案に係る鮮度保持容器を示す右側面図。
【図５】本考案に係る鮮度保持容器を一部破断して示す平面図。
【図６】本考案に係る鮮度保持容器の展開図。
【図７】図６のＡ−Ａ断面図。
【図８】本考案に係る鮮度保持容器を示す平面図。
【図９】本考案に係る鮮度保持容器の使用状態を示す図。
【図１０】本考案に係る鮮度保持容器の横倒し状態を示す図。
【図１１】別の実施形態に係る鮮度保持容器を示す斜視図。
【図１２】別の実施形態に係る鮮度保持容器を示す背面図。
【図１３】別の実施形態に係る鮮度保持容器を示す右側面図。
【図１４】別の実施形態に係る鮮度保持容器の展開図。
【図１５】別の実施形態に係る鮮度保持容器の使用状態を示す図。
【図１６】別の実施形態に係る鮮度保持容器の横倒し状態を示す図。
【図１７】連結補強部の別の例１を示す図。
【図１８】連結補強部の別の例２を示す図。
【図１９】注水口の別の例を示す図。
【図２０】変形例１に係る鮮度保持容器を示す斜視図。
【図２１】変形例１に係る鮮度保持容器を示す背面図。
【図２２】変形例１に係る鮮度保持容器を示す右側面図。
【図２３】変形例１に係る鮮度保持容器の展開図。
【図２４】変形例１に係る鮮度保持容器の使用状態を示す図。
【図２５】変形例１に係る鮮度保持容器の横倒し状態を示す図。
【図２６】変形例１に係る鮮度保持容器の注水工程を示す図。
【図２７】変形例２に係る鮮度保持容器を示す斜視図。
【図２８】変形例２に係る鮮度保持容器の展開図。
【図２９】変形例２に係る鮮度保持容器の注水工程を示す図。
【図３０】変形例３に係る鮮度保持容器の斜視図。
【図３１】変形例３に係る鮮度保持容器の展開図。
【図３２】変形例３に係る鮮度保持容器の注水工程を示す図。
【図３３】連結補強部の別の例３を示す図。
【符号の説明】
【００６２】
１，１Ａ，１Ｂ，１Ｃ，１Ｄ，１Ｅ  鮮度保持容器
１０  容器本体
１１  蓋部側注水口
１２  蓋部
１３  支持脚部
１３ａ，１３０ａ，１３１Ａ，１３１ａ，１３２ａ，１３３Ａ，１３３ａ  連結補強部
１３ｂ，１３０ｂ  切欠部（係止スリット）
１４  折り目線
１６，１７  ミシン目線（区画線）
１８，１９  舌片
２０  袋部
１３２ｂ，１３３ｂ  ストッパ片（凸部）
１３２ｃ  ストッパ開口（穴部）
１３３ｅ  開口部
【図１】
0003126878.tif 000003
【図２】
0003126878.tif 000004
【図３】
0003126878.tif 000005
【図４】
0003126878.tif 000006
【図５】
0003126878.tif 000007
【図６】
0003126878.tif 000008
【図７】
0003126878.tif 000009
【図８】
0003126878.tif 000010
【図９】
0003126878.tif 000011
【図１０】
0003126878.tif 000012
【図１１】
0003126878.tif 000013
【図１２】
0003126878.tif 000014
【図１３】
0003126878.tif 000015
【図１４】
0003126878.tif 000016
【図１５】
0003126878.tif 000017
【図１６】
0003126878.tif 000018
【図１７】
0003126878.tif 000019
【図１８】
0003126878.tif 000020
【図１９】
0003126878.tif 000021
【図２０】
0003126878.tif 000022
【図２１】
0003126878.tif 000023
【図２２】
0003126878.tif 000024
【図２３】
0003126878.tif 000025
【図２４】
0003126878.tif 000026
【図２５】
0003126878.tif 000027
【図２６】
0003126878.tif 000028
【図２７】
0003126878.tif 000029
【図２８】
0003126878.tif 000030
【図２９】
0003126878.tif 000031
【図３０】
0003126878.tif 000032
【図３１】
0003126878.tif 000033
【図３２】
0003126878.tif 000034
【図３３】
0003126878.tif 000035